(57)【要約】      （修正有）【課題】複数気孔を有するこびりつき防止フライパンのフライパン本体を提供する。【解決手段】金属アルミニウム又はその他の金属材料を用いて形成される単層の金属フライパン本体１と発泡金属又は発泡合金２とからなり；発泡金属又は発泡合金２を金属フライパン本体１の内側表面に被覆し；発泡金属の豊富な空気孔隙を利用し、透過性と吸蔵性を有し；この透過性と吸蔵性によって油と水分及び空気等の物質を吸収し、また、フライパン本体を加熱する際に、吸蔵された油と水分及び空気等を解放し続けて、良好なこびりつき防止性能を形成し、且つ、大量の空気隙間を有するため、フライパン本体の伝熱もさらに均等になり、油煙も減少させることができ；複数孔を有するこびりつき防止フライパンが良好な物理的こびりつき防止性能を有し、且つ、引っかき耐性、耐久性の特長を有する。【選択図】図１
0003208758.tif 000002
【実用新案登録請求の範囲】
【請求項１】
金属アルミニウム又はその他の金属材料を用いて形成された単層の金属フライパン本体（１）と発泡金属又は発泡合金（２）とからなり、前記発泡金属又は発泡合金（２）の内部に大量の気泡を有し、前記発泡金属又は発泡合金（２）を高温高圧によって前記金属フライパン本体（１）の内側表面に被覆することを特徴とする複数気孔を有するこびりつき防止フライパンのフライパン本体。
【請求項２】
耐高温性塗料（３）と発泡金属又は発泡合金（２）とからなり、前記発泡金属又は発泡合金（２）の内部に大量の気泡を有し、前記発泡金属又は発泡合金（２）を高温高圧によって前記耐高温性塗料（３）の内側表面に被覆することを特徴とする複数気孔を有するこびりつき防止フライパンのフライパン本体。
【請求項３】
前記発泡金属又は発泡合金（２）を用いて高温高圧によってフライパン本体を製造し；前記発泡金属又は発泡合金（２）の反対側に形成して外表面を被覆する耐高温性塗料（３）をさらに備えることを特徴とする請求項１記載の複数気孔を有するこびりつき防止フライパンのフライパン本体。
【考案の詳細な説明】
【技術分野】
【０００１】
本考案は、こびりつき防止フライパンの技術分野に関し、特に新型の複数気孔を有するこびりつき防止フライパンのフライパン本体に関する。
【背景技術】
【０００２】
「こびりつき防止フライパン」の登場は、人々の生活に大変な便利をもたらしている。人々は、肉を煮る際に焼け焦げること、及び、魚を焼く際に魚の皮がフライパンにこびりつくことを心配することがなくなった。このようなこびりつき防止フライパンは普通のフライパンの外形と差異がなく、一層のポリテトラフルオロエチレンのみをフライパン本体の内側表面に塗布し、ポリテトラフルオロエチレンの優れた熱性能、化学性能、洗浄容易性及び無毒性を利用して、このような非常に人気のある台所用具として製造されてきた。しかしながら、ポリテトラフルオロエチレンには先天的な欠陥がある。即ち、その接着強度は高くなく、ポリテトラフルオロエチレンのコーテイング層は温度が260℃を超えるとその硬度が減少し、剥離しやすくなる。従って、このようなポリテトラフルオロエチレンを用いたこびりつき防止フライパンの使用寿命は長くない。
【考案の開示】
【考案が解決しようとする課題】
【０００３】
従来の技術では既存の問題点を解決することは困難である。従来の技術の不備を補うために、本考案は、こびりつき防止性に優れ、引っかき耐性及び耐久性を有する新型の複数気孔を有するこびりつき防止フライパンのフライパン本体を提供することを目的とする。
【課題を解決するための手段】
【０００４】
上記の目的を実現するために、本考案は以下の技術案を採用している：
金属アルミニウム又はその他の金属材料を用いて形成された単層の金属フライパン本体（１）と発泡金属又は発泡合金（２）とからなり；又は、耐高温性塗料（３）と発泡金属又は発泡合金（２）とからなり；前記発泡金属又は発泡合金（２）の内部に大量の気泡を有し；前記発泡金属又は発泡合金（２）を高温高圧によって金属フライパン本体（１）の内側表面に被覆することを特徴とする複数気孔を有するこびりつき防止フライパンのフライパン本体。
【０００５】
前記発泡金属又は発泡合金（２）を用いて、高温高圧によってフライパン本体を製造し；前記耐高温性塗料（３）を前記発泡金属又は発泡合金（２）製の前記フライパン本体の外表面に塗布する。
【考案の効果】
【０００６】
従来の技術と比べると、本考案の有益な効果は：
１．構造が簡素で、使用が便利で、安全信頼性があり、耐久性が非常に高いこと；
２．本考案は発泡金属又は合金の豊富な空気孔隙を利用し、透過性と吸蔵性とを有し；この透過性と吸蔵性によって油と水分及び空気等の物質を吸収し、また、フライパンを加熱する際に、吸蔵された油と水分及び空気等を放出し続けることで良好なこびりつき防止性能を形成し、且つ、大量の空気空隙を有するため、フライパン本体の伝熱がさらに均等になり、油煙を減少させることができ；新型の複数気孔を有するこびりつき防止フライパンは、良好な物理的こびりつき防止性能を有し、且つ、引っかき耐性、耐久性の特長を有する。
【図面の簡単な説明】
【０００７】
【図１】本考案の構造見取り図である。
【図２】本考案の構造見取り図である。
【考案を実施するための形態】
【０００８】
以下、本考案の実施例の図面を参照して、本考案の実施例の技術案を明確、完全に説明する。以下に説明する実施例は、本考案の実施例の一部であり、全てではないことは明らかである。本考案の実施例に基づいて、当業者が創造的な労力を注ぐことなくして得られた全てのその他の実施例は、本考案の保護範囲に属する。
【０００９】
図１及び２を参照しながら、本考案の実施例における新型の複数気孔を有するこびりつき防止フライパンのフライパン本体について説明する。該フライパン本体は、金属アルミニウム又はその他の金属材料を用いて形成された単層の金属フライパン本体（１）と発泡金属又は発泡合金（２）とからなり；又は、耐高温性塗料（３）と発泡金属又は発泡合金（２）とからなり；前記発泡金属又は発泡合金（２）の内部に大量の気泡を有し；前記発泡金属又は発泡合金（２）を高温高圧によって金属フライパン本体（１）の内側表面に被覆することを特徴とする。
【００１０】
前記発泡金属又は発泡合金（２）を用いてフライパン本体を製造し；前記耐高温性塗料（３）を前記発泡金属又は発泡合金（２）製の前記フライパン本体の外表面に塗布する。
【００１１】
当業者にとって、本考案は上述の実施例の細部に限定されるものではなく、本考案の主旨又は基本的な特徴から逸脱しない限りにおいて、他の実施形態を以ってしても本考案を実施することができるのは明らかである。従って、いかなる点から見ても、実施例は例示的で、非限定的なものである。本考案に係る請求の範囲は上記の説明により限定されるものではなく、請求の範囲の要件と同等の意味をなす要件及び請求の範囲内における改変は本考案に含まれるものとする。請求の範囲に記載されている、いかなる図の符号又は記号も請求項を限定するものではない。
【００１２】
このように、上述の実施例は本考案の好ましい実施例にすぎず、本考案を限定するものではない。即ち、本考案に係る技術を用いて、上記実施例に対して実質的にいかなる微細な改変、置換及び改良を施したものも本考案の保護を求める技術範囲に属するものとする。
【符号の説明】
【００１３】
１  金属フライパン本体
２  発泡金属または発泡合金
３  耐高温性塗料
【図１】
0003208758.tif 000003
【図２】
0003208758.tif 000004